(57)【要約】【課題】互いに連結する第一部材及び第二部材のいずれの部材に力が作用しても部材同士の連結を維持できる連結部材及びキャビネットを提供する。【解決手段】連結部材１００は、第一部材９２と第二部材９３とを連結する連結部材であって、第一部材９２に形成された第一穴部９２Ｘ内に配設された第一拡径部３０と、第二部材９３に形成された第二穴部９３Ｘ内に配設された第二拡径部１０と、第一拡径部３０内に挿入されて第一拡径部３０を拡径する第一連結部５と、第一連結部５に連結され、第二拡径部１０内に挿入されることで第二拡径部１０を拡径するとともに、第一連結部５を第一拡径部３０内に挿入する第二連結部４と、を備えることを特徴とする。【選択図】図３
2016151323.tif 000002
【特許請求の範囲】
【請求項１】
第一部材と第二部材とを連結する連結部材であって、
前記第一部材に形成された第一穴部内に配設された第一拡径部と、
前記第二部材に形成された第二穴部内に配設された第二拡径部と、
前記第一拡径部内に挿入されて該第一拡径部を拡径する第一連結部と、
該第一連結部に連結され、前記第二拡径部内に挿入されることで該第二拡径部を拡径するとともに、前記第一連結部を前記第一拡径部内に挿入する第二連結部と、を備えることを特徴とする連結部材。
【請求項２】
前記第一連結部は、前記第一拡径部内に進出して前記第一拡径部を拡径させる主軸部と、該主軸部に設けられた係合軸部と、を有し、
前記第二連結部は、前記第一拡径部に設けられた支持軸を中心に回転可能とされ、前記第二拡径部を拡径可能な拡幅部と、該拡幅部の回転により前記第一連結部の前記係合軸部を押動する係合部と、を有し、
前記第二連結部の前記拡幅部を前記第二拡径部に挿入させることで前記第二拡径部を拡径させて前記第二穴部に係合させ、前記拡幅部の挿入に連動して前記係合部で前記係合軸部を前記第一拡径部内に挿入させて前記第一拡径部を拡径させて前記第一穴部に係合させるように構成されていることを特徴とする請求項１に記載の連結部材。
【請求項３】
第一部材及び第二部材が組み付けられた部材の連結構造であって、
前記第一部材と前記第二部材とが、請求項１または２に記載の連結部材により連結されていることを特徴とする部材の連結構造。
【発明の詳細な説明】
【技術分野】
【０００１】
本発明は、連結部材及び部材の連結構造に関するものである。
【背景技術】
【０００２】
従来から、システムキッチン等には、調理器具や食器等の物品を収容可能なキャビネットが、床面上に設置、または天井に吊り下げられて設けられている。このようなキャビネットは、一般に、底板と、底板から立設された側板及び背板と、底板と対向配置された天板と、を備えている。また、これら底板、側板、背板及び天板で囲まれた収納空間には、棚板が設けられるとともに、背板と対向する側に開閉可能な扉が設けられたものが知られている。これら底板、側板、背板、棚板及び天板等の板状部材は、互いに連結部材を介して連結されることがある。
【０００３】
このような連結部材として、一方の板状部材に形成された取付穴に挿入された受けと、他方の板状部材に形成された取付穴に挿入されたジョイント本体と、ジョイント本体に設けられ受けの内部に挿入されるシャフトと、を備えたものが提案されている（下記特許文献１参照）。この連結部材では、受けの内部に挿入されたシャフトにより、受けが拡径して取付穴の内面を押圧する構成とされている。このように一方の板状部材に設けられた取付穴に設けられた部材が拡径する構成は、下記特許文献２でも提案されている。
【先行技術文献】
【特許文献】
【０００４】
【特許文献１】特開２０１３−１７７９３２号公報
【特許文献２】特開２０００−３２０５１７号公報
【発明の概要】
【発明が解決しようとする課題】
【０００５】
上記の特許文献１，２に記載の連結部材では、ジョイント本体が設けられた他方の板状部材に対して、取付穴にジョイント本体が挿入される方向の力が作用すると、他方の板状部材が当該方向（挿入される方向）に移動し、取付穴からジョイント本体が抜けてしまい、部材同士を連結することができない可能性がある。
【０００６】
そこで、本発明は、上記事情に鑑みてなされたものであり、互いに連結する第一部材及び第二部材のいずれの部材に力が作用しても部材同士の連結を維持できる連結部材及び部材の連結構造を提供する。
【課題を解決するための手段】
【０００７】
上記目的を達成するために、本発明は以下の手段を採用している。
すなわち、本発明に係る連結部材は、第一部材と第二部材とを連結する連結部材であって、前記第一部材に形成された第一穴部内に配設された第一拡径部と、前記第二部材に形成された第二穴部内に配設された第二拡径部と、前記第一拡径部内に挿入されて該第一拡径部を拡径する第一連結部と、該第一連結部に連結され、前記第二拡径部内に挿入されることで該第二拡径部を拡径するとともに、前記第一連結部を前記第一拡径部内に挿入する第二連結部と、を備えることを特徴とする。
【０００８】
このように構成された連結部材では、第二部材の第二穴部内に配置された第二拡径部は、第二連結部が挿入されることで拡径し、第二穴部に係合される。また、第二連結部は第一連結部を、第一拡径部内に挿入する。これにより、第一拡径部は拡径し、第一穴部に係合される。よって、互いに連結する第一部材及び第二部材のいずれの部材に力が作用しても、第一連結部及び第二連結部がそれぞれ第一穴部及び第二穴部から抜け落ちることがないため、第一部材と第二部材との連結を維持することができる。
【０００９】
また、本発明に係る連結部材では、前記第一連結部は、前記第一拡径部内に進出して前記第一拡径部を拡径させる主軸部と、該主軸部に設けられた係合軸部と、を有し、前記第二連結部は、前記第一拡径部に設けられた支持軸を中心に回転可能とされ、前記第二拡径部を拡径可能な拡幅部と、該拡幅部の回転により前記第一連結部の前記係合軸部を押動する係合部と、を有し、前記第二連結部の前記拡幅部を前記第二拡径部に挿入させることで前記第二拡径部を拡径させて前記第二穴部に係合させ、前記拡幅部の挿入に連動して前記係合部で前記係合軸部を前記第一拡径部内に挿入させて前記第一拡径部を拡径させて前記第一穴部に係合させるように構成されていることが好ましい。
【００１０】
このように構成された連結部材では、第二連結部の拡幅部を第二拡径部に挿入させることで、第二拡径部を拡径させて第二穴部に係合させる。また、拡幅部の挿入に連動して第二連結部の係合部で第一連結部の係合軸部を第一拡径部内に挿入させることで、第一拡径部を拡径させて第一穴部に係合させる。よって、第一連結部と第二連結部とを連動させることで、第一部材と第二部材とを連結する動作を簡略化することができる。
【００１１】
また、本発明に係る部材の連結構造は、第一部材及び第二部材が組み付けられた部材の連結構造であって、前記第一部材と前記第二部材とが、請求項１または２に記載の連結部材により連結されていることを特徴とする。
【００１２】
このように構成された部材の連結構造では、第二部材の第二穴部内に配置された第二拡径部は、第二連結部が挿入されることで拡径し、第二穴部に係合される。また、第二連結部は第一連結部を、第一拡径部内に挿入する。これにより、第一拡径部は拡径し、第一穴部に係合される。よって、互いに連結する第一部材及び第二部材のいずれの部材に力が作用しても、第一連結部及び第二連結部がそれぞれ第一穴部及び第二穴部から抜け落ちることがないため、第一部材と第二部材との連結を維持することができる。
【発明の効果】
【００１３】
本発明に係る連結部材及び部材の連結構造によれば、互いに連結する第一部材及び第二部材のいずれの部材に力が作用しても部材同士の連結を維持できる。
【図面の簡単な説明】
【００１４】
【図１】本発明の部材の連結構造の一実施形態に係るキャビネットの斜視図である。
【図２】本発明の一実施形態に係るキャビネットにおいて、第一部材及び第二部材に連結部材が取り付けられた状態を内側から見た斜視図である。
【図３】本発明の一実施形態に係るキャビネットにおいて、第一部材及び第二部材から連結部材を取り外した状態を内側から見た分解斜視図である。
【図４】本発明の一実施形態に係るキャビネットの連結部材の分解斜視図である。
【図５】本発明の一実施形態に係るキャビネットの連結部材を構成する部材（ジョイント本体）を示す図である。
【図６】本発明の一実施形態に係るキャビネットの連結部材を構成する部材（蓋体）を一方向から見た図である。
【図７】本発明の一実施形態に係るキャビネットの連結部材を構成する部材（蓋体）を図６とは９０°異なる方向から見た図である。
【図８】本発明の一実施形態に係るキャビネットの連結部材において、蓋体が開いた状態を示す図であって、図２のＰ−Ｐ断面図である。
【図９】図８のＡ−Ａ断面図である。
【図１０】図８のＢ−Ｂ断面図である。
【図１１】本発明の一実施形態に係るキャビネットの連結部材において、蓋体が閉じた状態を示す図であって、図２のＱ−Ｑ断面図である。
【図１２】図１１のＣ−Ｃ断面図である。
【図１３】図１１のＤ−Ｄ断面図である。
【発明を実施するための形態】
【００１５】
以下、部材の連結構造の一例として、本発明の一実施形態に係るカウンターについて説明する。
図１は、本発明の部材の連結構造一実施形態に係るキャビネットの斜視図である。
図１に示すように、カウンターＡは、内部に物品を収容可能な収納空間ＳＡが形成された複数のキャビネットＣ，Ｃ…と、複数のキャビネットＣ，Ｃ…の上部に設けられた天板Ｔと、を備えている。このカウンターＡは、キッチン（不図示）や洗面所（不図示）等に設置されるものである。
【００１６】
各キャビネットＣは、箱状に形成されたキャビネット本体９０と、キャビネット本体９０に開閉可能に設けられた一対の扉９９，９９と、を有している。
ここで、便宜上、キャビネットＣにおいて、扉９９が設けられている側（図１に示す紙面右手前側）を前側と称し、前側と反対側（図１に示す紙面左奥側）を後側と称する。また、前後方向に直交する二方向のうち、水平方向に延びる方向（図１に示す紙面左手前側から紙面右奥側に向かう方向）を左右方向と称する。
【００１７】
キャビネット本体９０は、底部をなす底板９１と、底板９１の左右両端からそれぞれ立設された側板（第一部材）９２と、一対の側板９２，９２の前部同士を連結する前框（第二部材）９３と、一対の側板９２，９２の後部同士を連結する後框９４及び背板９５と、を有している。
【００１８】
底板９１は、板状をなすとともに、平面視矩形状に形成されている。各側板９２は、板状をなすとともに、側面視矩形状に形成されている。
【００１９】
前框９３及び後框９４は、板状をなすとともに、正面視矩形状に形成されている。前框９３及び後框９４は、それぞれ後述する連結部材１００により側板９２に連結されている。背板９５は、後框９４の下部に設けられ、収納空間ＳＡの後面を閉塞している。
【００２０】
次に、前框９３と側板９２とを連結する連結部材１００の構成について説明する。
ここでは、前框９３と側板９２とを連結する連結部材１００について説明する。前框９３と側板９２とは、連結部材１００により上下方向２箇所で連結されている。
【００２１】
図２は、キャビネットＣにおいて、側板９２及び前框９３に連結部材１００が取り付けられた状態を内側から見た斜視図である。図３は、キャビネットＣにおいて、側板９２及び前框９３から連結部材１００を取り外した状態を内側から見た分解斜視図である。
図２、図３に示すように、側板９２の内面９２Ｉにおいて、前部には左右方向に延びる取付穴（第一穴部）９２Ｘが設けられている。取付穴９２Ｘは、上下方向に離間して２個設けられている。
【００２２】
前框９３の後面９３Ｂにおいて、左右両端部側には前後方向に延びる取付穴９３Ｘが設けられている。この取付穴９３Ｘは、前框９３の側面９３Ｓから凹むように形成されている。取付穴（第二穴部）９３Ｘは、上下方向に離間して２個設けられている。
【００２３】
図４は、キャビネットＣの連結部材１００の分解斜視図である。
図３、図４に示すように、連結部材１００は、側板９２の取付穴９２Ｘ及び前框９３の取付穴９３Ｘに取り付けられるジョイント本体１と、ジョイント本体１に対して回動可能に設けられた蓋体（第二連結部）４と、蓋体４に支持されジョイント本体１の内部において進退可能とされたピン（第一連結部）５と、を有している。
【００２４】
図５は、キャビネットＣの連結部材１００を構成するジョイント本体１を示す図である。
図３、図４及び図５に示すように、ジョイント本体１は、前框９３の取付穴９３Ｘに挿入されるリング部（第二拡径部）１０と、リング部１０と連続して形成され側板９２の取付穴９２Ｘに挿入されるダボ部（第一拡径部）３０と、を有している。ジョイント本体１は、弾性変形可能な材料で形成されている。
ここで、リング部１０が延びる方向を、Ｘ方向とする。ダボ部３０が延びる方向であってＸ方向に直交する方向を、Ｙ方向とする。Ｘ方向及びＹ方向に直交する方向をＺ方向とする。
【００２５】
連結部材１００が側板９２及び前框９３に取り付けられた状態で、Ｘ方向は前後方向に沿う方向となる。リング部１０は、Ｘ方向と直交する断面においてＣ字状に形成されたＣ字状部１１を有している。換言すると、Ｃ字状部１１は、Ｘ方向に沿う方向を中心軸として周方向に形成されている。
【００２６】
Ｃ字状部１１には、ダボ部３０側と反対側には外側に向かって開口する開口端部１１Ａが形成されている。
【００２７】
Ｃ字状部１１の外面１１Ｅには、外方に突出するリブ１１Ｒが、Ｘ方向に間隔を有して複数設けられている。
【００２８】
Ｃ字状部１１には、開口端部１１Ａとダボ部３０側とを連結する外傾斜壁部１４が設けられている。外傾斜壁部１４は、Ｚ方向（連結部材１００が側板９２及び前框９３に取り付けられた状態で上下方向）に離間して一対設けられている。これら外傾斜壁部１４，１４間は、後述する蓋体４が挿入可能な蓋体挿入空間Ｓ２とされている。
【００２９】
一対の外傾斜壁部１４は、Ｃ字状部１１の開口端部１１Ａ側からダボ部３０側に向かうにしたがって次第に近接するように形成されている。
【００３０】
Ｃ字状部１１には、外傾斜壁部１４，１４のダボ部３０側同士を連結するダボ支持壁部１５が設けられている。ダボ支持壁部１５には、Ｙ方向に貫通するピン挿通孔１５Ｘが形成されている。
【００３１】
Ｃ字状部１１のＸ方向側の端面には、Ｘ方向と直交する平面に沿う蓋支持台部２１が、Ｚ方向に離間して一対設けられている。また、蓋支持台部２１，２１のダボ部３０側の端部同士は、段部２２により連結されている。段部２２は、蓋支持台部２１よりもＸ方向に突出して設けられている。
【００３２】
段部２２には、Ｙ方向に凹む凹部２３が形成されている。凹部２３の対向する側面２３Ａ，２３Ａ同士は、支持軸２４により連結されている。
【００３３】
ダボ部３０は、ダボ支持壁部１５に設けられている。ダボ部３０は、Ｙ方向（連結部材１００が側板９２及び前框９３に取り付けられた状態で左右方向）に延びるように形成されている。
【００３４】
図５に示すように、ダボ部３０は、ダボ支持壁部１５からＹ方向に沿って延びる４本の突出軸３２，３２…、を有している。
【００３５】
図４、図５に示すように、各突出軸３２は、隣接する突出軸３２と、Ｘ方向及びＺ方向に離間して設けられている。換言すると、４本の突出軸３２，３２…は、Ｙ方向に沿う方向中心軸として周方向に配置されている。これにより、４本の突出軸３２，３２…の中心側には、Ｙ方向に延びるピン挿入空間Ｓ１が形成されている。
【００３６】
ピン挿入空間部Ｓ１は、ダボ支持壁部１５に形成されたピン挿通孔１５Ｘに連通している。また、ピン挿入空間部Ｓ１は、突出軸３２の先端３２Ａ側に向かうにしたがって先細り形状をなしている。
【００３７】
各突出軸３２の外面には、外方に突出する鍔部３３が、Ｙ方向に間隔を有して複数設けられている。各鍔部３３は、ダボ支持壁部１５側から突出軸３２の先端３２Ａ側に向かうにしたがって小さくなるように形成されている。換言すると、各鍔部３３におけるＹ方向と直交する方向の端部３３Ａ同士を結んだ線Ｃ１は、ダボ支持壁部１５側から突出軸３２の先端３２Ａ側に向かうにしたがって近接するように形成されている。このように、突出軸３２，３２…は、全体として先端３２Ａ側に向かうにしたがって先細り形状をなしている。
【００３８】
図６は、キャビネットＣの連結部材１００を構成する蓋体４をＹ方向と直交する方向から見た図である。図７は、キャビネットＣの連結部材１００を構成する蓋体４をＸ方向と直交する方向から見た図である。
図３、図４、図６及び図７に示すように、蓋体４は、ジョイント本体１の支持軸２４に回動可能に係合された被係合部４１と、被係合部４１に設けられリング部１０を閉塞する蓋本体部４３と、蓋本体部４３に設けられ一対の外傾斜壁部１４，１４間に配置される内傾斜壁部（拡幅部）４５，４５と、内傾斜壁部４５，４５間に設けられたピン係合部（係合部）４７と、を有している。
【００３９】
被係合部４１は、Ｚ方向に直交する断面がＣ字状に形成され、Ｚ方向に沿って延びている。被係合部４１は、ジョイント本体１の支持軸２４に係合された状態で、Ｚ方向を中心軸として回動可能とされている。
【００４０】
蓋本体部４３は、板状に形成されている。被係合部４１が支持軸２４を中心に回動して、蓋本体部４３がジョイント本体１のリング部１０を閉塞した状態で、蓋本体部４３の裏面４３Ｂはジョイント本体１の蓋支持台部２１に当接し支持される。
【００４１】
内傾斜壁部４５の外面４５Ｅは、テーパー状に形成されている。詳細には、図７に示すように、Ｘ方向に直交する方向から見て、蓋本体部４３の開口端部４３Ａ側から被係合部４１側に近づくにしたがって次第にその外面４５Ｅ同士が近接するように形成されている。
【００４２】
図４、図６及び図７に示すように、内傾斜壁部４５の外面４５Ｅと蓋本体部４３の裏面４３Ｂとは、複数のリブ４４により連結されている。これにより、内傾斜壁部４５が補強されている。
【００４３】
ピン係合部４７は、一対の内傾斜壁部４５，４５同士を連結する連結壁部４６に設けられている。ピン係合部４７は、連結壁部４６の端部４６Ａから被係合部４１側に凹むように形成されている。
【００４４】
図４に示すように、ピン５は、主軸部５３と、主軸部５３の一端側に設けられた頭部５１と、を有している。さらに、主軸部５３には、頭部５１側に向かって順に、主軸部５３から径方向外側に向かって膨らむ段付き部５５と、湾曲形成された湾曲部５７と、主軸部５３よりも小さい径で形成された係合軸部５９と、が形成されている。
【００４５】
次に、上記のように構成された連結部材１００が側板９２と前框９３とを連結する手順について説明する。
図８は、キャビネットＣの連結部材１００において、蓋体４が開いた状態を示す図であって、図２のＰ−Ｐ断面図である。図９は、図８のＡ−Ａ断面図である。図１０は、図８のＢ−Ｂ断面図である。図１１は、本発明の一実施形態に係るキャビネットＣの連結部材１００において、蓋体４が閉じた状態を示す図であって、図２のＱ−Ｑ断面図である。図１２は、図１１のＣ−Ｃ断面図である。図１３は、図１１のＤ−Ｄ断面図である。
【００４６】
まず、蓋体４がジョイント本体１から開いた状態で、前框９３の取付穴９３Ｘ内に、ジョイント本体１のリング部１０を挿入する。ジョイント本体１の蓋支持台部２１が、前框９３の後面９３Ｂに沿う位置まで挿入する。
【００４７】
そして、図８、図９及び図１０に示すように、側板９２の取付穴９２Ｘに、ジョイント本体１のダボ部３０を挿入する。
【００４８】
ここで、各鍔部３３はダボ支持壁部１５側から突出軸３２の先端３２Ａ側に向かうにしたがって小さくなるように形成されているため、ダボ部３０を側板９２の取付穴９２Ｘに挿入しやすくなっている。突出軸３２の先端３２Ａ側の鍔部３３と、取付穴９２Ｘの内面との間には隙間ＳＸが形成されている。
【００４９】
図１１、図１２及び図１３に示すように、この状態から、蓋体４に閉じる向きに力を加えると、被係合部４１が支持軸２４を中心に回動する。蓋体４の回動にともない、蓋体４のピン係合部４７が、先端部で挟持するピン５の湾曲部５７を押して、ピン５を直進させ、ジョイント本体１のピン挿入空間Ｓ１に挿入させる。蓋体４の回動及びピン５の直進にともない、蓋体４のピン係合部４７内にピン５の係合軸部５９が挿入され、係合される。
なお、蓋体４が空いている状態から、蓋体４のピン係合部４７とピン５の係合軸部５９とが係合されている構成であってもよい。
【００５０】
この際、蓋体４の内傾斜壁部４５は、ジョイント本体１の蓋体挿入空間Ｓ２内を進む。これにともない、蓋体４の内傾斜壁部４５がジョイント本体１の外傾斜壁部１４に当接し、外傾斜壁部１４を外側（前後方向と交差する方向）に向かって押圧する。これにより、外傾斜壁部１４が、前後方向に沿う方向を中心軸として周方向に拡径する。そして、ジョイント本体１のリブ１１Ｒが前框９３の取付穴９３Ｘの内面に突き当たり、ジョイント本体１が前框９３に固定される。
【００５１】
一方、蓋体４のピン係合部４７に係合されたピン５は、ジョイント本体１のピン挿入空間Ｓ１内を進む。これにともない、ピン５の主軸部５３が、ジョイント本体１の４本の突出軸３２，３２…の内面に当接し、４本の突出軸３２，３２…を外側（左右方向と交差する方向）に向かって押圧する。これにより、４本の突出軸３２，３２…が全体として、左右方向に沿う方向を中心軸として周方向に拡径する。そして、突出軸３２の鍔部３３が側板９２の取付穴９２Ｘに突き当たり、ジョイント本体１が側板９２に固定される。
【００５２】
側板９２と前框９３との連結を取り外す際には、連結部材１００の蓋体４の開口端部４３Ａに指をかけ引っ張ると、蓋体４がジョイント本体１の支持軸２４を中心に回動する。これにともない、蓋体４のピン係合部４７に係合されたピン５が後退し、ピン挿入空間Ｓ１から抜ける。
なお、上記に示す連結部材１００が側板９２と後框９４とを連結する構成については、当該連結部材１００が側板９２と前框９３とを連結する構成の前後方向を逆にしたものであるため、説明を省略する。
【００５３】
このように構成されたカウンターＡでは、前框９３の取付穴９３Ｘ内に配置されたリング部１０は、蓋体４の内傾斜壁部４５が挿入されることで、前後方向に沿う方向を軸線方向として周方向に拡径し、取付穴９３Ｘに固定される。また、蓋体４は、ピン５を、ダボ部３０に形成されたピン挿入空間Ｓ１内に挿入する。そして、側板９２の取付穴９２Ｘ内に配置されたダボ部３０は、左右方向に沿う方向を中心軸として周方向に拡径し、取付穴９２Ｘの内面に係合する。これにより、リング部１０は前後方向及び前後方向と交差する方向への移動が規制されるため、前框９３の取付穴９３Ｘから移動することがない。ダボ部３０は左右方向及び左右方向と交差する方向への移動が規制されるため、側板９２の取付穴９２Ｘから移動することがない。よって、互いに連結する第一部材及び第二部材のいずれの部材に力が作用しても、リング部１０及びダボ部３０がそれぞれ取付穴９２Ｘ及び取付穴９２Ｘから抜け落ちることがないため、前框９３と側板９２との連結を維持することができる。
【００５４】
また、ピン５が４本の突出軸３２，３２…により形成されたピン挿入空間Ｓ１に挿通されることで、４本の突出軸３２，３２…は左右方向と交差する方向に弾性変形し、拡径する。また、蓋体４の内傾斜壁部４５，４５が外傾斜壁部１４，１４に形成された蓋体挿入空間Ｓ２内に移動されることで、Ｃ字状部１１は前後方向に交差する方向に弾性変形し、拡径する。ピン５はピン係合部４７に係合され蓋体４に案内されるため、蓋体４を蓋体挿入空間Ｓ２内に移動させる動作に連動して、ピン５はピン挿入空間Ｓ１に挿通される。よって、側板９２と前框９３とを連結する動作を、蓋体４とピン５とを連動させ簡略化することができる。
【００５５】
また、前框９３と側板９２との連結を解除する際には、蓋体４を開けば、蓋体４のピン係合部４７とピン５の係合軸部５９とが係合されているため、ピン５も蓋体４とともにピン挿入空間Ｓ１から抜くことができる。このようにして、連結部材１００を前框９３と側板９２から取り外して、前框９３と側板９２とを簡単に取り外すことができる。
【００５６】
なお、上述した実施の形態において示した各構成部材の諸形状や組み合わせ等は一例であって、本発明の主旨から逸脱しない範囲において設計要求等に基づき種々変更可能である。
【００５７】
例えば、上記に示す実施形態では、互いに鉛直面に沿って配置された側板９２と前框９３とを連結する構成について説明したが、本発明はこれに限られない。鉛直面に沿って配置された側板（不図示。以下同じ。）と、水平面に沿って配置された棚板（不図示。以下同じ。）とを連結する構成にも適用可能である。棚板の上面から取付穴を形成して、この取付穴にリング部（又はダボ部）を挿入配置してもよい。この場合に、棚板には該棚板に載置された物品等から下向きの力が作用するが、リング部（又はダボ部）が上下方向の交差する方向に拡径して取付穴の内面に突き当たるため、棚板が下方に落ちる（移動する）ことがない。
【００５８】
また、上記に示す実施形態においては、板状に形成された側板９２と前框９３とを連結する構成について説明したが、本発明はこれに限られない。棒状や塊状（サイコロ状）等様々な形成された部材同士等を連結する構成にも適用可能である。
【００５９】
また、本発明はキャビネットに限定されることなく、各種の部材の連結構造に用いることができる。
【符号の説明】
【００６０】
Ｃ…キャビネット（部材の連結構造）
１…ジョイント本体
４…蓋体（第二連結部）
５…ピン（第一連結部）
１０…リング部（第二拡径部）
１１…Ｃ字状部
１２…リブ
１４…外傾斜壁部
１５…端面壁部
１７…凹部
１９…支持面
２１…蓋支持台部
２２…段部
２３…支持軸
３０…ダボ部（第一拡径部）
３１…基部
３２…突出軸
３３…鍔部
４１…被係合部
４３…蓋本体部
４４…リブ
４５…内傾斜壁部（拡幅部）
４６…連結壁部
４７…ピン係合部（係合部）
５１…頭部
５３…主軸部
５５…段付き部
５７…湾曲部
５９…係合軸部
９０…キャビネット本体
９１…底板
９２…側板（第一部材）
９２Ｘ…取付穴（第一穴部）
９３…前框（第二部材）
９３Ｘ…取付穴（第二穴部）
９４…後框
９５…背板
９９…扉
１００…連結部材
Ｓ１…ピン挿入空間
Ｓ２…蓋体挿入空間
ＳＡ…収納空間
【図１】
2016151323.tif 000003
【図２】
2016151323.tif 000004
【図３】
2016151323.tif 000005
【図４】
2016151323.tif 000006
【図５】
2016151323.tif 000007
【図６】
2016151323.tif 000008
【図７】
2016151323.tif 000009
【図８】
2016151323.tif 000010
【図９】
2016151323.tif 000011
【図１０】
2016151323.tif 000012
【図１１】
2016151323.tif 000013
【図１２】
2016151323.tif 000014
【図１３】
2016151323.tif 000015